(57)【特許請求の範囲】
【請求項１】
表面シート、裏面シートおよびこれら両シート間に位置する第１吸収体を有し、腹側部、股下部および背側部が長手方向に沿って順次一体的に形成された第１吸収部と、
この第１吸収部上に配設され、上面シート、下面シートおよびこれら両シート間に位置する第２吸収体を有し、前側部、中央部および後側部が長手方向に沿って順次一体的に形成された第２吸収部とを備える使い捨て吸収性物品であって、
前記第１吸収部には、前記第１吸収体が位置しない孔部が前記股下部から前記腹側部および前記背側部の少なくともいずれか一方にわたって形成され、
前記第２吸収部の前記前側部および前記後側部が、前記第１吸収部の前記腹側部および前記背側部にそれぞれ接合され、
前記第２吸収部の前記中央部と前記前側部および前記後側部の少なくともいずれか一方とにおいて、前記第２吸収体が前記孔部に対応する位置に配設され、かつ、前記第２吸収体の長手方向長さおよび幅方向長さが前記孔部の長手方向長さおよび幅方向長さより小さくなっており、
前記第２吸収体が位置する前側部および後側部の少なくともいずれか一方が、対応する前記腹側部および前記背側部の少なくともいずれか一方に接合されることによって、前記第１吸収体と前記第２吸収体との間に溝部が前記使い捨て吸収性物品の長手方向および幅方向に延びて形成されている
ことを特徴とする使い捨て吸収性物品。
【請求項２】
第２吸収部の少なくとも中央部において、上面シートおよび下面シートが第２吸収体の幅方向両端部より外方に延出され、
この延出部分によって第１吸収体の上面側に長手方向に沿って位置するフラップ部が形成され、
このフラップ部には、弾性体が長手方向に沿って配設されている
ことを特徴とする請求項１記載の使い捨て吸収性物品。
【請求項３】
第１吸収体の背側部の幅方向長さが、前記第１吸収体の股下部の幅方向長さより大きくなっており、
孔部の背側部の幅方向長さが、前記孔部の股下部の幅方向長さより大きくかつ前記第１吸収体の背側部の幅方向長さより小さくなっており、
第２吸収体の後側部の幅方向長さが前記第２吸収体の中央部の幅方向長さより大きく、溝部が前記第１吸収体の股下部の幅方向長さより大きく形成されている
ことを特徴とする請求項１または２記載の使い捨て吸収性物品。
【発明の詳細な説明】
【技術分野】
【０００１】
本発明は、子供用、大人用、或いは、失禁用等の使い捨て吸収性物品に関するものである。
【背景技術】
【０００２】
従来、例えばこの種の使い捨て吸収性物品として特許第３６６０８１６号公報（特許文献１）記載の使い捨ておむつが知られており、この使い捨ておむつでは、おむつ本体の股下部で第２吸収体がおむつ本体に対して歪みにより皮膚側に接近し、第２吸収体の両側部分とおむつ本体の第１吸収体との間に空間が保持され易く、尿等の液が条溝に導流され易くなり、その結果、第２吸収体で一次吸収されなかった液が第１吸収体と第２吸収体との間の空間に流れ込み、この空間に流れ込んだ液が左右の条溝に沿って長手方向に拡散され、第２吸収体に効率よく吸収されて、横漏れが効果的に防止されるようになっている。
【特許文献１】特許第３６６０８１６号公報
【発明の開示】
【発明が解決しようとする課題】
【０００３】
しかしながら、上記従来の使い捨て吸収性物品では、股下部において第１吸収体と第２吸収体とが積層されているため、吸収体が部分的に厚くなってしまう場合があり、装着感が悪くなるおそれがあった。
【０００４】
本発明は、このような点に鑑みなされたもので、股下部において第１吸収体と第２吸収体とが積層するようなことがなく、装着感が良好である使い捨て吸収性物品を提供することを目的とする。
【課題を解決するための手段】
【０００５】
請求項１記載の使い捨て吸収性物品は、表面シート、裏面シートおよびこれら両シート間に位置する第１吸収体を有し、腹側部、股下部および背側部が長手方向に沿って順次一体的に形成された第１吸収部と、この第１吸収部上に配設され、上面シート、下面シートおよびこれら両シート間に位置する第２吸収体を有し、前側部、中央部および後側部が長手方向に沿って順次一体的に形成された第２吸収部とを備える使い捨て吸収性物品であって、前記第１吸収部には、前記第１吸収体が位置しない孔部が前記股下部から前記腹側部および前記背側部の少なくともいずれか一方にわたって形成され、前記第２吸収部の前記前側部および前記後側部が、前記第１吸収部の前記腹側部および前記背側部にそれぞれ接合され、前記第２吸収部の前記中央部と前記前側部および前記後側部の少なくともいずれか一方とにおいて、前記第２吸収体が前記孔部に対応する位置に配設され、かつ、前記第２吸収体の長手方向長さおよび幅方向長さが前記孔部の長手方向長さおよび幅方向長さより小さくなっており、前記第２吸収体が位置する前側部および後側部の少なくともいずれか一方が、対応する前記腹側部および前記背側部の少なくともいずれか一方に接合されることによって、前記第１吸収体と前記第２吸収体との間に溝部が前記使い捨て吸収性物品の長手方向および幅方向に延びて形成されているものである。
【０００６】
請求項２記載の使い捨て吸収性物品は、請求項１記載の使い捨て吸収性物品において、第２吸収部の少なくとも中央部において、上面シートおよび下面シートが第２吸収体の幅方向両端部より外方に延出され、この延出部分によって第１吸収体の上面側に長手方向に沿って位置するフラップ部が形成され、このフラップ部には、弾性体が長手方向に沿って配設されているものである。
【０００７】
請求項３記載の使い捨て吸収性物品は、請求項１または２記載の使い捨て吸収性物品において、第１吸収体の背側部の幅方向長さが、前記第１吸収体の股下部の幅方向長さより大きくなっており、孔部の背側部の幅方向長さが、前記孔部の股下部の幅方向長さより大きくかつ前記第１吸収体の背側部の幅方向長さより小さくなっており、第２吸収体の後側部の幅方向長さが前記第２吸収体の中央部の幅方向長さより大きく、溝部が前記第１吸収体の股下部の幅方向長さより大きく形成されているものである。
【発明の効果】
【０００８】
請求項１に係る発明によれば、股下部において第１吸収体と第２吸収体とが積層するようなことがなく、装着感が良好であり、また、第２吸収体が位置する前側部および後側部の少なくともいずれか一方が対応する腹側部および背側部の少なくともいずれか一方に接合されることによって第１吸収体と第２吸収体との間に溝部が使い捨て吸収性物品の長手方向および幅方向に延びて形成されているため、腹側部や背側部に流れ込んだ尿等の液を溝部によって使い捨て吸収性物品の長手方向および幅方向に拡散でき、よって漏れ防止を図ることができる。
【０００９】
請求項２に係る発明によれば、第１吸収体に積層されるのは幅方向両端側のフラップ部なので、その部分が厚くなってしまうことがなく、またフラップ部が肌に密着するため、漏れを効果的に防止でき、さらにインナーパッドを使用する場合にはインナーパッドを肌に密着させることで漏れを効果的に防止できる。
【００１０】
請求項３に係る発明によれば、第２吸収体の後側部の幅方向長さが第２吸収体の中央部の幅方向長さより大きく、溝部が第１吸収体の股下部の幅方向長さより大きく形成されているため、吸収面積が大きくなるとともに尿等の液がより拡散して漏れを効果的に防止できる。
【発明を実施するための最良の形態】
【００１１】
本発明の使い捨て吸収性物品の第１の関連技術を図１ないし図３を参照して説明する。
【００１２】
図１ないし図３において、１は使い捨て吸収性物品である大人用の使い捨ておむつで、この使い捨ておむつ１は、展開状態で長手方向および幅方向を有する略砂時計形状をなすテープ型のおむつである。
【００１３】
使い捨ておむつ１は、表面シート２、裏面シート３およびこれら両シート２，３間に位置する第１吸収体４を有し、腹側部６、股下部７および背側部８が長手方向に沿って順次一体的に形成された第１吸収部10を備えている。
【００１４】
また、使い捨ておむつ１は、第１吸収部10上に配設され、上面シート12、下面シート13およびこれら両シート12，13間に位置する第２吸収体14を有し、前側部16、中央部17および後側部18が長手方向に沿って順次一体的に形成された第２吸収部20を備えている。
【００１５】
そして、第１吸収部10の少なくとも股下部７、すなわち例えば股下部７のみには、第１吸収体４が位置しない長手状の第２吸収体収容部である孔部21がその股下部７の上面側に長手方向に沿って凹状に形成されている。この孔部21は、第２吸収体14に対応した形状、例えば使い捨ておむつ１の長手方向に細長い略矩形状に形成されている。
【００１６】
また、第２吸収部20の前側部16および後側部18が、第１吸収部10の腹側部６および背側部８にそれぞれ接合されており、第２吸収部20の少なくとも中央部17、すなわち例えば中央部17のみにおいて、第２吸収体14の全体が孔部21に対応する位置にその孔部21内に収容されるように配設され、かつ、第２吸収体14の長手方向長さおよび幅方向長さが孔部21の長手方向長さおよび幅方向長さより小さくなっている。なお、図示しないが第２吸収体14の長手方向長さが孔部21の長手方向長さより大きい構成であってもよい。
【００１７】
ここで、表面シート２は親水性或いは透液性のもので、裏面シート３は撥水性或いは不透液性のものであり、裏面シート３の下面に不繊布等の通気性の外装シート23を配設することが好ましい。股下部７の幅方向両端部には、脚周り部分7aが形成されている。
【００１８】
上面シート12は親水性或いは透液性のものであり、下面シート13は親水性或いは透液性か、撥水性或いは不透液性のどちらであっても構わない。下面シート13が親水性或いは透液性である場合は、第１吸収体４および第２吸収体14に吸収された尿等の液が両吸収体４，14間を移動することができるので、第１吸収体４および第２吸収体14を全面的に有効に利用することができる。一方、下面シート13が撥水性或いは不透液性である場合は、両吸収体４，14間で液が移動し難くなるので、全面的に汚れることを防止できる。
【００１９】
孔部21は、例えば表面シート２にて区画形成され、表面シート２および裏面シート３は孔部21の略全面で互いに接着されている。
【００２０】
第１吸収体４および第２吸収体14は、パルプ、高分子吸収剤等で形成されている。第１吸収体４は腹側部６および背側部８が幅広状に形成されたもので、第１吸収体４の腹側部６および背側部８の幅方向長さが股下部７の幅方向長さより大きくなっている。第１吸収体４の股下部７の中央には、略矩形状の貫通孔4aが長手方向に沿って形成されている。第１吸収体４および第２吸収体14は、ティッシュで扶持或いは内包されていてもよい。また、第１吸収体４にティッシュが配設されている場合、ティッシュが孔部21に配設される場合と配設されない場合が考えられるが、どちらでもよい。但し、孔部21にティッシュが配設される場合は、ティッシュは孔部21に対応する位置で表面ート２と裏面シート３とで挟着される。
【００２１】
第１吸収体４および第２吸収体14のパルプ、高分子吸収剤等の目付（密度）は、特に限定されるものではなく、また第１吸収体４および第２吸収体14で目付が同じであっても異なっていても構わない。しかし、装着時に第１吸収体４と第２吸収体14との間で段差が生じると、その段差部分によって違和感を生じるおそれがあるため、第１吸収体４の厚さと第２吸収体14の厚さとを略同一にすることが好ましい。但し、吸収体４，14がパルプ等で構成されているため、同一の厚さに形成しようとしても必ずしも同一になるとは限らず、また吸収体４，14を挟むシートの材質等によって厚さが変化する場合もある。従って、ここでいう略同一の厚さとは、装着時に両吸収体４，14間の厚さの違いによって違和感が生じない程度であれば略同一に含まれるという意味である。
【００２２】
第１吸収部10の孔部21が股下部７のみに形成された構成には限定されず、孔部21が股下部７から腹側部６および背側部８の少なくともいずれか一方にわたって形成された構成でもよい。また同様に、第２吸収体14が第２吸収部20の中央部17のみに位置する構成には限定されず、第２吸収体14が中央部17から前側部16および後側部18の少なくともいずれか一方にわたって位置する構成でもよい。
【００２３】
腹側部６と前側部16との接合および背側部８と後側部18の接合は、対向する部分同士が一部でも接合されていればよいが、接合部分が小さいと第１吸収部10が第２吸収部20を保持する部分が小さくなり、不規則によじれてしまう可能性があるので、前側部16の略全体および後側部18の略全体が腹側部６の略全体および背側部８の略全体にそれぞれ接合されていることが好ましい。また中央部17と股下部７とが部分的或いは略全体に接合されていてもよい。
【００２４】
第１吸収部10の幅方向両端側にサイドフラップ（立体ギャザー）24を長手方向に沿って配設することが好ましい。サイドフラップ24の基端側が第１吸収部10の表面シート３上に位置し、先端側がゴム等の弾性体25を有する自由端部27となっている。
【００２５】
また、第１吸収部10の背側部８には、使い捨ておむつ１を装着者の体に装着するための接着テープ或いは面ファスナ等の装着手段26が設けられている。さらに第１吸収部10の幅方向両端部には、ゴム等の弾性体28が長手方向に沿って配設されている。
【００２６】
そして、このような使い捨ておむつ１によれば、第１吸収部10と第２吸収部20とが別個に形成されていることによってそれぞれが装着者の肌に密着しやすくなり、また孔部21に流れ込んだ尿等の液が使い捨ておむつ１の長手方向に沿って拡散するととともに、股下部７において第１吸収体４と第２吸収体14とが積層するようなことがなく、装着者の肌に違和感を与える段差部が股下部７に形成されず、装着感が良好である。
【００２７】
次に、本発明の使い捨て吸収性物品の第２の関連技術を図４および図５を参照して説明する。
【００２８】
図４および図５に示す使い捨ておむつ１では、第２吸収部20の少なくとも中央部17、すなわち例えば前側部16、中央部17および後側部18において上面シート12および下面シート13が第２吸収体14の幅方向両端部より外方に延出されて互いに接合され、この延出部分によって第１吸収体４の上面側に長手方向に沿ってこの第１吸収体４に積層されるように位置する長手状でシート状のフラップ部31が形成されている。両側のフラップ部31の各々には、ゴム等の弾性体32が長手方向に沿って配設されている。その他の構成は第１の関連技術と基本的に同じである。
【００２９】
そして、図４および図５に示す使い捨ておむつ１によれば、股下部７において第１吸収体４と第２吸収体14とが積層せず装着感が良好であるばかりでなく、第１吸収体４に積層されるのは第２吸収部20のフラップ部31なので、その部分が厚くなってしまうことがなく、またフラップ部31が装着者の肌に密着するため、漏れを効果的に防止でき、さらにインナーパッドを使用する場合にはインナーパッドを肌に密着させることで漏れを効果的に防止できる。
【００３０】
なお、フラップ部31が前側部16、中央部17および後側部18に形成された構成には限定されず、例えばフラップ部31が中央部17のみに形成された構成、フラップ部31が中央部17から前側部16および後側部18のいずれか一方のみにわたって形成された構成等でもよい。
【００３１】
また、弾性体32は、両側のフラップ部31に少なくとも1つずつ配設されていればよいが、装着者の肌への密着およびインナーパッド併用時のズレ止め防止効果を高めるためには、糸状の弾性体32を幅方向に並べて複数本配設したり、幅広状つまり帯状の弾性体32を用いたりすることが好ましい。
【００３２】
さらに、弾性体32の配設位置は、フラップ部31の少なくとも中央部17に配設されていれば、前側部16および後側部18の少なくともいずれか一方に向って延出されていてもよい。
【００３３】
また、弾性体32の長さは、第２吸収体14と比較した場合、第２吸収体14の長手方向長さより大きくても小さくても構わないが、フラップ部31の前後端部が伸縮しないように第１吸収体４よりは小さくする。
【００３４】
さらに、フラップ部31の長手方向に沿った外端部は、第１吸収体４の幅方向端部より内方に位置することが好ましく、またサイドフラップ24が配設されている場合には、そのサイドフラップ24の倒伏状態時において、サイドフラップ24の自由端部27より内方に位置することが好ましい。
【００３５】
次に、本発明の使い捨て吸収性物品の第１の実施の形態を図６および図７を参照して説明する。
【００３６】
図６および図７に示す使い捨ておむつ１では、第１吸収部10の孔部21は股下部７から腹側部６および背側部７の少なくともいずれか一方、すなわち例えば股下部７から腹側部６および背側部７の両方にわたって形成され、第２吸収体14の長手方向長さおよび幅方向長さがその孔部21の長手方向長さおよび幅方向長さより小さくなっており、第２吸収体14が位置する前側部16および後側部18の少なくともいずれか一方、すなわち例えば前側部16および後側部18の両方が対応する腹側部６および背側部８の少なくともいずれか一方、すなわち例えば腹側部６および背側部８の両方に接合されることによって、第１吸収体４と第２吸収体14との間に２つの溝部（図６中、斜線を施した部分）41が形成されている。各溝部41は、使い捨ておむつ１の長手方向および幅方向に延びており、平面視で略コ字状である。その他の構成は第２の関連技術と基本的に同じである。
【００３７】
そして、図６および図７に示す使い捨ておむつ１によれば、股下部７において第１吸収体４と第２吸収体14とが積層せず装着感が良好であるばかりでなく、腹側部６や背側部８に流れ込んだ尿等の液を溝部41によって使い捨ておむつ１の長手方向および幅方向に拡散でき、よって漏れ防止を図ることができる。
【００３８】
なお、前側部16および後側部18の両方が腹側部６および背側部８の両方に接合されて第１吸収体４と第２吸収体14との間に２つの溝部41が形成された構成には限定されず、前側部16および後側部18のいずれか一方と腹側部６および背側部８のいずれか一方とが接合されて第１吸収体４と第２吸収体14との間に１の溝部41が形成された構成でもよい。
【００３９】
また、溝部41は、第１吸収部10と第２吸収部20の間に形成されることが好ましいが、必ずしも第１吸収部10と第２吸収部20の間に形成されるとは限らない。すなわち溝部41は、尿等の液を拡散させるための溝形状の空間部分が第１吸収体４と第２吸収体14の間に存在してればよいので、溝部41には上面シート12、下面シート13、或いは表面シート２等のシート体が位置し、このシート体同士が接触、積層している場合があっても、第１吸収体４および第２吸収体14が配設されていない実質的な空間部分が形成されていれば、当該部分が溝部41となって液を拡散させることができる。
【００４０】
次に、本発明の使い捨て吸収性物品の第２の実施の形態を図８および図９を参照して説明する。
【００４１】
図８および図９に示す使い捨ておむつ１では、第１吸収体４の背側部８の幅方向長さが第１吸収体４の股下部７の幅方向長さより大きくなっており、孔部21の背側部８の幅方向長さが孔部21の股下部７の幅方向長さより大きくかつ第１吸収体４の背側部８の幅方向長さより小さくなっており、第２吸収体14の後側部18の幅方向長さが第２吸収体14の中央部17の幅方向長さより大きく、溝部（図８中、斜線を施した部分）41が第１吸収体４の股下部７の幅方向長さより大きく形成されている。その他の構成は第２の関連技術と基本的に同じである。
【００４２】
そして、図８および図９に示す使い捨ておむつ１によれば、股下部７において第１吸収体４と第２吸収体14とが積層せず装着感が良好であるばかりでなく、吸収体４，14による吸収面積が大きくなるとともに尿等の液がより拡散して漏れを効果的に防止できる。
【００４３】
なお、図１０に示す第３の実施の形態のように第１吸収体４の腹側部６および孔部21の腹側部６の幅方向長さがそれぞれの股下部７の幅方向長さより大きく、第２吸収体14の前側部16の幅方向長さが中央部17の幅方向長さより大きくした構成でもよい。すなわち、背側部８および後側部18に加え、腹側部６および前側部16も股下部７或いは中央部17より幅方向長さを大きくして、第１吸収体４、孔部21、第２吸収体14が略砂時計形状となるようにしてもよい。
【００４４】
なお、使い捨ておむつ１は、テープ型のおむつには限定されず、パンツ型のおむつでもよい。
【図面の簡単な説明】
【００４５】
【図１】本発明の第１の関連技術に係る使い捨て吸収性物品の展開平面図である。
【図２】同上使い捨て吸収性物品の展開平面図である。
【図３】図２のＡ−Ａ断面図である。
【図４】本発明の第２の関連技術に係る使い捨て吸収性物品の展開平面図である。
【図５】図４のＢ−Ｂ断面図である。
【図６】本発明の第１の実施の形態に係る使い捨て吸収性物品の展開平面図である。
【図７】図６のＣ−Ｃ断面図である。
【図８】本発明の第２の実施の形態に係る使い捨て吸収性物品の展開平面図である。
【図９】図８のＤ−Ｄ断面図である。
【図１０】本発明の第３の実施の形態に係る使い捨て吸収性物品の展開平面図である。
【符号の説明】
【００４６】
１    使い捨て吸収性物品である使い捨ておむつ
２    表面シート
３    裏面シート
４    第１吸収体
６    腹側部
７    股下部
８    背側部
10    第１吸収部
12    上面シート
13    下面シート
14    第２吸収体
16    前側部
17    中央部
18    後側部
20    第２吸収部
21    孔部
31    フラップ部
32    弾性体
41    溝部
【図１】
0004786429.tif 000002
【図２】
0004786429.tif 000003
【図３】
0004786429.tif 000004
【図４】
0004786429.tif 000005
【図５】
0004786429.tif 000006
【図６】
0004786429.tif 000007
【図７】
0004786429.tif 000008
【図８】
0004786429.tif 000009
【図９】
0004786429.tif 000010
【図１０】
0004786429.tif 000011